(57)【特許請求の範囲】
【請求項１】
受信すべきデータに依存して振幅変調され、高振幅の大間隔および減少振幅の休止間隔を具える振幅変調キャリア信号を受信する受信手段と、この受信手段に接続され受信キャリア信号から直流電力を発生し、発生直流電力の記憶用記憶手段を含む電力発生手段と、前記受信手段に接続され受信キャリア信号の前記休止間隔を検出するとともに休止間隔を検出すると識別信号を発生し、供給する休止検出手段と、前記受信手段に接続され受信キャリア信号からクロック信号を発生せしめ、この発生クロック信号を供給するクロック信号発生手段と前記電力発生手段の前記記憶手段から直流電力を受けるとともに前記クロック信号発生手段からのクロック信号を受けるように配列され、受信キャリア信号で変調されたデータを処理するとともにクロック信号が供給されない場合に遊休電力消費を行うとともにクロック信号が供給される場合に前記遊休電力消費よりも高い動作電力消費を行うデータ処理手段とを具えるデータキャリアにおいて、前記休止検出手段を含み、休止間隔の検出時に前記クロック信号の前記データ処理手段への供給を禁止せしめる制御手段を設けるようにしたことを特徴とするデータキャリア。
【請求項２】
前記制御手段は論理手段を具え、前記休止検出手段によって発生した識別信号および前記クロック信号発生手段によって発生したクロック信号を前記論理手段によって供給し得るようにし、前記論理手段によって前記識別信号に依存し、前記クロック信号の前記データ処理手段への供給を禁止せしめることを特徴とする請求項１に記載のデータキャリア。
【請求項３】
前記論理手段は、前記識別信号の発生開始時に直ちに前記クロック信号の前記データ処理手段への供給禁止を開始することを特徴とする請求項２に記載のデータキャリア。
【請求項４】
前記論理手段は、前記識別信号の発生停止時に前記クロック信号の前記データ処理手段への供給禁止をある遅延を持って停止することを特徴とする請求項３に記載のデータキャリア。
【請求項５】
受信すべきデータに依存して振幅変調され、高振幅の大間隔および減少振幅の休止間隔を具える受信振幅変調キャリア信号を供給し得、受信キャリア信号から直流電力を発生し且つ発生直流電力の記憶用記憶手段を含む、以下電力発生手段と称される手段と；受信キャリア信号を供給して受信キャリア信号の休止間隔を検出するとともに休止間隔の検出時に識別信号を発生し、供給する休止検出手段と；前記受信キャリア信号を供給して受信キャリア信号からクロック信号を発生せしめ、この発生クロック信号を供給するクロック信号発生手段と；前記電力発生手段の前記記憶手段から直流電力を受けるとともに前記クロック信号発生手段からのクロック信号を受けるように配列され、受信キャリア信号で変調されたデータを処理するとともにクロック信号が供給されない場合に遊休電力消費のみを行うとともにクロック信号が供給される場合に前記遊休電力消費よりも高い動作電力消費を行うデータ処理手段と；を具える回路において、前記休止検出手段を含み、休止間隔の検出時に前記クロック信号の前記データ処理手段への供給を禁止せしめる制御手段を設けるようにしたことを特徴とする回路。
【請求項６】
請求項５に記載の回路において、前記制御手段は論理手段を具え、前記休止検出手段によって発生した識別信号および前記クロック信号発生手段によって発生したクロック信号を前記論理手段に供給し得るようにし、前記論理手段によって前記識別信号に依存し、前記クロック信号の前記データ処理手段への供給を禁止せしめることを特徴とする回路。
【請求項７】
請求項６に記載の回路において、前記論理手段は、前記識別信号の発生開始時に直ちに前記クロック信号の前記データ処理手段への供給禁止を開始することを特徴とする回路。
【請求項８】
請求項７に記載の回路において、前記論理手段は、前記識別信号の発生停止時に前記クロック信号の前記データ処理手段への供給禁止をある遅延を持って停止することを特徴とする回路。
【発明の詳細な説明】
発明の技術分野
本発明は受信すべきデータに依存して振幅変調され、高振幅の大間隔および減少振幅の休止間隔を休止間隔を具える振幅変調キャリア信号を受信する受信手段と、この受信手段に接続され受信キャリア信号から直流電力を発生し、発生直流電力の記憶用記憶手段を含む電力発生手段と、前記受信手段に接続され受信キャリア信号の前記休止間隔を検出するとともに休止間隔を検出すると識別信号を発生し、供給する休止検出手段と、前記受信手段に接続され受信キャリア信号からクロック信号を発生せしめ、この発生クロック信号を供給するクロック信号発生手段と前記電力発生手段の前記記憶手段から直流電力を受けるとともに前記クロック信号発生手段からのクロック信号を受けるように配列され、受信キャリア信号で変調されたデータを処理するとともにクロック信号が供給されない場合に遊休電力消費を行うとともにクロック信号が供給される場合に前記遊休電力消費よりも高い動作電力消費を行うデータ処理手段とを具えるデータキャリアに関するものである。
また、本発明は受信すべきデータに依存して振幅変調され、大振幅の高間隔および減少振幅の休止間隔を具える受信振幅変調キャリア信号を供給し得、受信キャリア信号から直流電力を発生し且つ発生直流電力の記憶用記憶手段を含む、以下電力発生手段と称される手段と、受信キャリア信号を供給して受信キャリア信号の休止間隔を検出するとともに休止間隔の検出時に識別信号を発生し、供給する休止検出手段と、前記受信キャリア信号を供給して受信キャリア信号からクロック信号を発生せしめ、この発生クロック信号を供給するクロック信号発生手段と、前記電力発生手段の前記記憶手段から直流電力を受けるとともに前記クロック信号発生手段からのクロック信号を受けるように配列され、受信キャリア信号で変調されたデータ処理するとともにクロック信号が供給されない場合に遊休電力消費のみを行うとともにクロック信号が供給される場合に前記遊休電力消費よりも高い動作電力消費を行うデータ処理手段とを具える回路に関するものである。
発明の背景
冒頭に規定されたこの種のデータキャリアは同じく冒頭に規定された種類の回路を用いる種々の用途に種々変形して比較的長時間に亘り用いられ、この種の回路は本願人からＩＣ回路として市販されており、既知である。かかる既知のデータキャリアおよび既知の回路の文献としては、米国特許願US5,345,231Aがある。この文献の記載は本願発明に記載されている。
既知のデータキャリアでは、データキャリアの作動に必要な直流電力は整流回路およびこの整流回路に接続された蓄積コンデンサを主として具える電力発生手段によって発生させている。データキャリアに必要な直流電力は受信したキャリア信号から取出し、この受信キャリア信号の直流電力の発生に寄与する高振幅の高い部分のみであるが、キャリア信号の休止間隔の電力発生手段の蓄積コンデンサに何等電力を供給しない。しかし、蓄積コンデンサへの供給電圧源がないにもかかわらず、クロック信号発生手段は休止間隔中クロック信号を発生するため、データ処理手段はクロック処理され、従って蓄積コンデンサから放出される比較的充分な直流電力を必要とするが、同時に蓄積コンデンサへの電力供給はない。これがため、蓄積コンデンサによって蓄積された直流電力は不所望に減少し、従ってデータキャリアの内部供給電圧を減少する。この内部供給電圧の減少によって既知のデータキャリアおよびこれと共働する書込み／読取りステーションの間で通信が可能となる範囲を最終的に制限するようになる。
発明の概要
本発明の目的は上述した問題を改善し、改善されたデータキャリアおよび達成され得る範囲で損失のほとんどない改善された回路を提供せんとするにある。
本発明は受信すべきデータに依存して振幅変調され、高振幅の大間隔および減少振幅の休止間隔を具える振幅変調キャリア信号を受信する受信手段と、この受信手段に接続され受信キャリア信号から直流電力を発生し、発生直流電力の記憶用記憶手段を含む電力発生手段と、前記受信手段に接続され受信キャリア信号の前記休止間隔を検出するとともに休止間隔を検出すると識別信号を発生し、供給する休止検出手段と、前記受信手段に接続され受信キャリア信号からクロック信号を発生せしめ、この発生クロック信号を供給するクロック信号発生手段と前記電力発生手段の前記記憶手段から直流電力を受けるとともに前記クロック信号発生手段からのクロック信号を受けるように配列され、受信キャリア信号で変調されたデータを処理するとともにクロック信号が供給されない場合に遊休電力消費を行うとともにクロック信号が供給される場合に前記遊休電力消費よりも高い動作電力消費を行うデータ処理手段とを具えるデータキャリアにおいて、前記休止検出手段を含み、休止間隔の検出時に前記クロック信号の前記データ処理手段への供給を禁止せしめる制御手段を設けるようにしたことを特徴とする。
また、本発明は受信すべきデータに依存して振幅変調され、大振幅の大間隔および減少振幅の休止間隔を具える受信振幅変調キャリア信号を供給し得、受信キャリア信号から直流電力を発生し且つ発生直流電力の記憶用記憶手段を含む、以下電力発生手段と称される手段と；受信キャリア信号を供給して受信キャリア信号の休止間隔を検出するとともに休止間隔の検出時に識別信号を発生し、供給する休止検出手段と；前記受信キャリア信号を供給して受信キャリア信号からクロック信号を発生せしめ、この発生クロック信号を供給するクロック信号発生手段と；前記電力発生手段の前記記憶手段から直流電力を受けるとともに前記クロック信号発生手段からのクロック信号を受けるように配列され、受信キャリア信号で変調されたデータを処理するとともにクロック信号が供給されない場合に遊休電力消費のみを行うとともにクロック信号が供給される場合に前記遊休電力消費よりも高い動作電力消費を行うデータ処理手段と；を具える回路において、前記休止検出手段を含み、休止間隔の検出時に前記クロック信号の前記データ処理手段への供給を禁止せしめる制御手段を設けるようにしたことを特徴とする。
本発明によれば、電力蓄積手段の蓄積手段に供給電圧が供給されない時間間隔中受信されたキャリア信号に休止間隔が発生するため、クロック信号のデータ処理手段への供給が少なくとも大部分禁止され、その結果、蓄積手段から直流電力により附勢されるデータ処理手段に不必要な電力消費が発生しないと云う利点を現存する休止検出手段を用いて簡単且つ有利に得ることができる。これがため、蓄積手段に蓄積された直流エネルギーを休止間隔中僅かにのみ減少し、その結果、データキャリアの内部供給電圧が殆ど減少せず、従って、本発明データキャリアおよびこのデータキャリアと共働する書込み／読取りステーション間に通信が可能となる範囲に何等悪影響を与えることはない
本発明データキャリアの種々の変形は請求項２、３および４に記憶に記載されており、これを用いられる回路は請求項６、７および８に記載されているため、これらの変形は極めて簡単に信頼し得る手段で有利に達成することができる。
【図面の簡単な説明】
図１は本発明の第１例に従ってデータキャリアを線図的に示すブロック図である。
図２は図１に示すデータキャリアを受信し、処理する振幅変調キャリア信号を示す線図的特性図である。
図３Ａ乃至図３Ｈは図１に示すデータキャリアに発生する信号および状態の特性波形図である。
図４は本発明の第２例に従ってデータキャリアを示す図１と同様のブロック図である。
発明を実施するための最良の形態
図１はデータキャリア１を示す。本例ではこれを無接触型チップカードとする。しかし、このデータキャリア１を他の形態とすることもできる。
このデータキャリア１は振幅変調キャリア信号Ｓを受けるように機能し且つ構成された受信手段２を具える。この受信手段２は送信コイル３を具え、この送信コイル３は送信／受信ステーション（図示せず）の送信コイルに誘導結合して２つの送信コイル間を誘導通信し得るようにする。これがため振幅変調キャリア信号Ｓによってデータキャリア１にデータを伝送することができる。
振幅変調キャリア信号Ｓはデータキャリアによって受信されるデータに依存して振幅変調される。図２はかかるキャリア信号Ｓの例を示す。図２に示すキャリア信号Ｓは１００％振幅変調されている。この振幅変調キャリア信号Ｓは高振幅の高間隔Ｈおよび減少振幅の休止間隔Ｐを具え、減少振幅は本例では１００％振幅変調のため、値零まで減少する。しかし、これは厳密には必要でなく、休止間隔の減少振幅は大間隔の高振幅に対し所定の割合で減少された振幅、例えば、７５％まで、更には１０％まで減少された振幅とすることもできる。
図２に示すように、キャリア信号Ｓに関しては、このキャリア信号Ｓがいわゆるミラーコードに従って振幅変調されているものとする。この符号化の形式では、各ビットの符号化に固定の時間間隔が用いられている。図２から明かなように、“０”ビットは時間間隔Ｔの始端で休止間隔Ｐを規定することによって符号化され、“１”ビットはかかる時間間隔Ｔの中央で休止間隔Ｐを規定することによって符号化する。データ伝送のキャリア信号の振幅変調に他の符号化形式を用い得ることもちろんである。例えば、“０”ビットを期間Ｔ１の大間隔Ｈで表わし、“１”ビットを期間Ｔ２の大間隔Ｈで表わし、全ての高間隔Ｈ間に固定休止期間Ｔ３の休止間隔Ｐを設けるようにして符号化を行うこともできる。
図２は理想的な振幅変調キャリア信号Ｓを示す。その理由は大間隔Ｈおよび休止間隔Ｐ間の遷移が理想的な急峻縁であるからである。実際には、振幅変調キャリア信号Ｓはかかる理想的な急峻縁を有さない。その理由は、図３Ａに示すように、書込み／読取りステーションの伝送コイルのＱおよびデータキャリア１の伝送コイル３並びにこのシステムと共働しこれと相俟って発振系を形成する構成素子のＱのため、キャリア信号Ｓは休止間隔Ｐの始端で減衰し、休止間隔Ｐの終端で再び形成されるからである。図３Ａに示すように、受信手段２により供給された振幅変調キャリア信号Ｓは大間隔に電圧値Ｖ１を有する。さらに、図２に基づき図３Ａに示すように、キャリア信号Ｓの大間隔Ｈは終端瞬時ＴＥで終端するとともに次の大間隔Ｈは始端瞬時ＴＢから開始する。これは休止間隔Ｐが通常瞬時ＴＥおよびＴＢ間にあることを意味する。
データキャリア１は電力発生手段４、休止検出手段５、クロック信号発生手段６、データ復調器７およびデータ処理手段８を具える。データキャリア１のこれら個別の部分は以下にさらに詳細に示す。
電力発生手段４は受信手段２に接続し、その結果受信手段２により受信され、供給される振幅変調キャリア信号Ｓは電力発生手段４に供給される。電力発生手段４によって受信キャリア信号Ｓから直流電力を発生させる。この電力発生手段４はダイオード９として線図的に表わされる整流装置を具え、これによって直流電圧を受信キャリア信号Ｓから取出す。発生した直流電力を蓄積するには、電力発生手段１４は蓄積手段１０を具え、これをコンデンサによって形成する。電力発生手段４によって出力端子１１に内部直流供給電圧ＶＩを発生し、この電圧を用いてデータキャリア１の構成素子全部を給電する。直流電力の大部分はデータ処理装置８が必要とするものである。
また、休止検出手段５も受信手段２に接続し、その結果、受信振幅変調キャリア信号Ｓも休止検出手段５に接続する。この休止検出手段５によって受信キャリア信号Ｓの休止間隔Ｐを検出するとともに休止間隔Ｐの検出時に識別信号ＫＳを発生し、供給する。
この場合には、休止検出手段５によって発生した識別信号ＫＳをデータ復調器７に供給し、この復調器７にはクロック信号ＣＬＫをも供給するとともにこの復調器７によって識別信号ＫＳおよびクロック信号ＣＬＫによりデータキャリア１に伝送されたデータを検出するとともに検出されたデータをデータ処理しに供給する。
同様に、クロック信号発生手段６には受信手段２に接続し、この結果、受信振幅変調キャリア信号Ｓもクロック信号発生識別に供給する。クロック信号発生手段６によって受信クロック信号Ｓからクロック信号ＣＬＫを発生させるとともに発生クロック信号ＣＬＫを供給する。
データ処理手段８は本質的にはマイクロコンピュータによって形成する。このデータ処理手段８の主構成素子は線図的に示すとともに中央処理装置（ＣＰＵ）１２、第１メモリ手段（ＲＡＭ）１３、第２メモリ手段（ＲＯＭ）１４および第３メモリ手段（ＥＥＰＲＯＭ）１５を含む。データ処理手段８は電力蓄積手段４の蓄積手段１０からの直流電力によって附勢し、この目的のため、電力蓄積手段４の出力端子１１をライン１６を経てデータ処理手段８の給電入力端子１７に接続する。
さらに、データ処理手段８はクロック信号発生手段６からクロック信号ＣＬＫを受けることができ、このクロック信号はデータ処理手段８のクロック信号入力端子１８に供給する。
データ処理手段８によってキャリア信号Ｓで変調されたデータを処理する。データ処理手段８は、クロック信号ＣＬＫを受信しない場合に極めて低いアイドル電力消費のみを有するとともにクロック信号ＣＬＫが受信される場合にこの特に低いアイドル電力消費よりも高い動作電力消費を有するように設計する。
電力発生手段４、休止検出手段５、およびクロック信号発生手段６の作動を図３Ａ，３Ｂ，３Ｃおよび３Ｄにつき以下詳細に説明する。
図３Ａは受信振幅変調キャリア信号Ｓの一部分の実際的波形を示し、この部分は休止間隔Ｐを含む。図３Ｂは図３Ａのキャリア信号Ｓに対して示され、この時間間隔では、電力発生手段４は電力ＥＺを蓄積手段１０に供給する。図３Ｃは図３Ａのキャリア信号Ｓに対し休止間隔Ｐの検出時に休止検出手段５によって発生された識別信号ＫＳを示す。図３Ｄは図３Ａのキャリア信号Ｓに対しクロック信号発生手段６によって発生されたクロック信号ＣＬＫを示す。
図３Ａの特性波形に示すように、キャリア信号Ｓは終端瞬時ＴＥで終る大間隔Ｈを有するものとする。その結果、キャリア信号Ｓの振幅は指数関数の包絡線Ｅ１に従って減少する。最初に、図３Ｂから明かなように、このキャリア信号Ｓの振幅の減少は蓄積手段１０への供給電力ＥＺに影響を及ぼさない。しかし、キャリア信号Ｓの振幅がスレシホルド値Ｖ２に到達すると、電力発生手段４による蓄積手段１０への電力供給ＥＺが停止する。これは、図３Ｂに見られるように、蓄積手段１０への電力供給ＥＺが瞬時Ｔ１から中断されることを意味する。
次いで、キャリア信号Ｓの振幅がスレシホルド値Ｖ３に到達すると、休止検出手段５によって休止間隔Ｐの開始を検出する。この結果、休止検出手段５は、図２に示すように、瞬時Ｔ２から開始する識別信号ＫＳを供給する。
上述した処理中、クロック信号発生手段６は受信したキャリア信号Ｓからクロック信号ＣＬＫを連続的に発生する。クロック信号ＣＬＫは、キャリア信号Ｓの振幅がスレシホルド値Ｖ４に到達するまで発生しつづけ、これは瞬時Ｔ３の場合と同様である。この結果、図３Ｄに示すように、クロック信号ＣＬＫは瞬時Ｔ３にその発生を停止する。
次いで、キャリア信号Ｓの振幅は値零に到達するまでさらに減少する。
この後、キャリア信号Ｓの休止間隔Ｐは瞬時ＴＢに終了する。この結果、休止間隔Ｓは指数関数の包絡線Ｅ２に従って増大する。
休止間隔Ｓの振幅が瞬時Ｔ４に発生するスレシホルド値Ｖ４に到達すると直ちに、図３Ｄに示すように、クロック信号発生手段６が再びクロック信号ＣＬＫを発生し、供給する。
次いで、キャリア信号Ｓの振幅が瞬時Ｔ５にスレシホルド値Ｖ３に到達する。これがため、図３Ｃに示すように、休止検出手段５は休止間隔Ｐの終端を検出し、その結果、休止検出手段５は識別信号ＫＳの発生を停止する。次に、キャリア信号Ｓの振幅がさらに増大して瞬時Ｔ６でスレシホルド値Ｖ２に到達する。この結果、図３Ｂに示すように、電力発生手段４は瞬時Ｔ６に直流電力の蓄積手段１０への供給ＥＺを再開する。キャリア信号Ｓの振幅が公称最大値Ｖ１に向かってさらに増大するため、直流電力の蓄積手段１０への供給ＥＺも勿論持続する。
図３Ｂから明かなように、蓄積手段１０への給電ＥＺは瞬時Ｔ１およびＴ６間で中断される。これは、時間間隔Ｄ１中電力が蓄積手段１０に供給ＥＺされないことを意味する。
クロック信号発生手段６により発生し、図３Ｄに示されるクロック信号ＣＬＫは何らの対策を取ることなくデータ処理手段８に供給される場合には、図３Ｅに示すように、瞬時Ｔ１およびＴ３間、即ち、時間間隔２では、および瞬時Ｔ４およびＴ６間、即ち、時間間隔Ｄ３ではデータ処理手段８の作動電力消費が多くなり、瞬時Ｔ３およびＴ４間のみ、即ち、時間間隔Ｄ４のみではアイドル電力消費が特に少なくなる。しかし、この結果は、双方の時間間隔Ｄ２およびＤ３において、データ処理手段８の大きな動作電力消費によって、蓄積手段１０に何等の給電ＥＥを行うことなく、蓄積手段１０から直流電力ＥＥを取出すことができる。これがためデータキャリアの出力端子１１の直流供給電圧Ｖ１を低減させることができ、これによってデータキャリア１の達成し得る範囲を減少させる。
前章で略記した問題を解決するためには、図１に示すデータキャリア１は制御手段１９を具え、この制御手段１９は休止検出手段５を具えるとともに休止間隔Ｐの検出時にクロック信号ＣＬＫのデータ処理手段８への供給を禁止するのが有利である。
制御手段１９は論理手段２０を具える。休止検出手段５により発生した識別信号ＫＳおよびクロック信号発生手段６により発生したクロック信号ＣＬＫは論理手段２０に供給する。論理手段２０は、これにより識別信号ＫＳに応じてクロック信号ＣＬＫのデータ処理手段８への供給を禁止する。
論理手段２０は休止検出手段５に接続され且つ識別信号ＫＳを受信するように配列されたインバータ２１を具える。このインバータ２１は制御信号ＩＳを発生させることができ、図３Ｆに示すように，この制御信号は図３Ｃに示される識別信号ＫＳに対して反転し得るようにする。
論理手段２０は前記インバータ２１の出力端子に接続された第１入力端子を有するとともにクロック信号発生手段６の出力端子に接続された第２入力端子を有する第１ＡＮＤゲート２２を具え、従って、制御手段ＩＳは第１入力端子に供給し得るとともにクロック信号ＣＬＫは第２入力端子に供給することができる。さらに、論理手段２０は所謂ｎ−ビット計数器２３を具える。この計数器２３は前記インバータ２１の出力端子に接続されたリセット入力端子Ｒを有し、その結果として、制御信号ＩＳをリセット入力端子Ｒに供給する。また、計数器２３は前記第１ＡＮＤゲート２２の出力端子に接続された計数入力端子Ｉを有する。
さらに、論理手段２０は第２ＡＮＤゲート２４を具え、その第１入力端子を前記計数器２３の出力端子に接続するとともにその第２入力端子を前記第１ＡＮＤゲート２２の出力端子に接続する。第２ＡＮＤゲート２４の出力端子は論理手段２０の出力端子をも形成し、且つデータ処理手段８のクロック信号入力端子１８に接続する。
制御手段１９、および特に論理手段２０の作動は以下に詳細に説明する。
電圧値Ｖ１の大きな間隔Ｈが受信したキャリア信号Ｓに現われる限り、休止検出手段５は識別信号ＫＳを供給せず、その結果、図３Ｆに示すように、インバータ２１によって供給された反転制御信号ＩＳは高レベルを呈する。そうである限り、即ち、高レベルの反転制御信号が第１ＡＮＤゲート２２の第１入力端子に現われている間は、第１ＡＮＤゲート２２の第２入力端子に供給されるクロック信号ＣＬＫは第１ＡＮＤゲート２２によって転送され、次いで第２ＡＮＤゲート２４によってデータ処理手段８のクロック信号入力端子１８にも転送される。
次に、休止間隔Ｐがキャリア信号Ｓに現われると、識別信号ＫＳが瞬時Ｔ２に休止検出手段５によって供給され、その結果、図３Ｆに示すように、インバータ２１はその出力側に瞬時Ｔ２から低レベルの反転制御信号を発生する。この結果、第１ＡＮＤゲート２２はクロック信号ＣＬＫの転送を停止する。斯様にして瞬時Ｔ２からクロック信号ＣＬＫのデータ処理手段８への供給を禁止する。これがため論理手段２０は識別信号ＫＳが現われるまで、クロック信号Ｓのデータ処理手段８への供給を直ちに禁止する。これは、次の休止間隔Ｐにクロック信号ＣＬＫがデータ処理手段８に転送されないことを意味する。瞬時Ｔ２がスレシホルド値Ｖ３に依存するため、瞬時Ｔ２の発生はスレシホルド値Ｖ３の選択によって影響され得るようになる。瞬時Ｔ２およびＴ１間の時間間隔はスレシホルド値Ｖ３がスレシホルド値Ｖ２に近付くにつれて減少する。
この後、図３Ａに示す休止間隔Ｐの終端部に到達し、次いで、休止検出手段５が図３Ｃに示される識別信号ＫＳの発生を停止すると、図３Ｆに示すように、インバータ２１の出力側が再び高電位となる。
インバータ２１の出力側が高電位になると、ＡＮＤゲート２２によりクロック信号ＣＬＫを直ちに転送する。しかし、第２ＡＮＤゲート２４は第１ＡＮＤゲート２２の出力側に現われるクロック信号ＣＬＫが更に転送されるのを禁止する。その理由はインバータ２１の出力側の高電位が計数器２３のリセット入力端子にも供給され、その結果計数器２３はリセットされ、従ってその出力側に低電位を発生し、この低電位が第２ＡＮＤゲート２４の第１入力端子に供給され、これにより第２入力端子に供給されるクロック信号ＣＬＫの転送を禁止するからである。第１ＡＮＤゲートを経て供給されるクロック信号ＣＬＫに応答して、前以てリセットされている計数器２３は計数作動を開始し、この計数作動は計数器２３が所定の計数値に到達するまで継続される。瞬時Ｔ５に開始されたこの計数作動は、図３Ｆに示すように、時間間隔Ｄ５をカバーするものとする。時間間隔Ｄ５が終了すると計数器はその出力側に高電位を発生し、その結果時間間隔Ｄ５の終了時に、即ち、瞬時Ｔ７に第２ＡＮＤゲート２４によりその第２入力端子に供給されたクロック信号ＣＬＫを転送し、従って、図３Ｇに示すように、クロック信号ＣＬＫをデータ処理手段８のクロック信号入力端子に供給する。
これがため、クロック信号ＣＬＫの転送遅延は計数器２３によって行う。これは、換言すれば、識別信号ＫＳが現われなくなると、論理手段２０がクロック信号ＣＬＫのデータ処理手段８への転送禁止を遅らせて決定することを意味する。
制御手段１９を設けることによって、クロック信号ＣＬＫのデータ処理手段８への転送を少なくともその大部分に亘り休止間隔Ｐの検出時に禁止することができ、蓄積手段１０からの電力ドレインＥＥを線図的に表わす図３Ｆから明らかなように、データ処理手段８により生じる蓄積手段１０からの電力ドレインＥＥを、著しく減少する。瞬時Ｔ１において電力ＥＺの蓄積手段１０への供給が終了すると、図３Ｈから明らかなように、データ処理手段８は瞬時Ｔ２まで蓄積手段１０からの電力ＥＥを単に放出する。その理由はクロック信号を瞬時Ｔ２までだけデータ処理手段８に供給し、従ってデータ処理手段８が大きな動作電力消費を行うからである。これがため電力は短い時間間隔Ｄ６でのみ蓄積手段１０から放出される。従って、瞬時Ｔ７まで時間間隔Ｄ７の瞬時Ｔ２後にデータ処理手段８によって蓄積手段１０から電力放出ＥＥを行わない。これは極めて有利である。その理由は図３Ｂから明らかなように、電力ＥＺの蓄積手段への供給を瞬時Ｔ７前に瞬時Ｔ６で既に行っているからである。
図４は本発明の第２例におけるデータキャリア１を示す。本例データキャリアは制御手段１９の論理手段２０の設計に関してのみ図１に示すデータキャリアとは相違する。
図４に示すデータキャリア１では、論理手段２０はインバータ２１、計数器２３およびＡＮＤゲート２４をも具えるが、これに加え、ＯＲゲート２５を設ける。このＯＲゲート２５はその第１入力端子をクロック信号発生手段６の入力端子に接続するとともにその第２入力端子を計数器２３の計数入力端子Ｉに接続する。本例では、クロック信号ＣＬＫをＡＮＤゲート２４の第２入力端子に直接供給する。
図４に示すデータキャリア１の論理手段２０の作動は図１に示すデータキャリア１の論理手段２０の作動とほぼ同一である。
【図１】
0004011637.tif 000002
【図２】
0004011637.tif 000003
【図３】
0004011637.tif 000004
【図４】
0004011637.tif 000005